(57)【要約】【課題】比較的簡単な構造で、ソケットにコンパクト蛍光灯を容易に着脱することができ、またコンパクト蛍光灯がソケットに確実に支持され、配光が変化することがない照明器具を提供することを課題とする。【解決手段】照明器具本体１の内部に、ソケット支持台３を配置し、同ソケット支持台にソケット６を固定し、またソケットに正多角形の光源ケース１１を有する光源１０を装着して構成してある。また光源はソケットに装着した状態で、光源ケースの頂部がソケット支持台に当接し、さらに光源ケースは、弾性を有する支持体２０でソケット支持台に支持されるように構成してある。また光源ケースは正四角形か、正六角形か、正八角形のいずれかで構成してある。【選択図】　　　　　図５
2004139765.tif 000002
【特許請求の範囲】
【請求項１】
照明器具本体の内部に、ソケット支持台を配置し、同ソケット支持台に、ソケットを固定し、また同ソケットに、正多角形の光源ケースを有する光源を装着し、光源はソケットに装着した状態で、光源ケースの頂部がソケット支持台に当接し、さらに光源ケースは、弾性を有する支持体でソケット支持台に支持したことを特徴とする照明器具。
【請求項２】
光源ケースは正四角形、正六角形、正八角形のいずれかで構成したことを特徴とする請求項１記載の照明器具。
【請求項３】
弾性を有する支持体は、光源を支持した状態で、光源ケースの多角面の最大個数より、少ない面で接触するように構成され、光源を取外すときに、接触しない面は弾性変形するように構成してあることを特徴とする請求項１及び請求項２記載の照明器具。
【発明の詳細な説明】
【０００１】
【発明の属する技術分野】
本発明は照明器具に関し、特に照明器具におけるランプの支持構造の改良に関する。
【０００２】
【従来の技術】
従来、コンパクト蛍光灯を装着した照明器具としては、照明器具本体の内部に、ソケットを横向きに固定し、同ソケットにコンパクト蛍光灯の口金を装着し、ソケットにコンパクト蛍光灯を支持してある。例えば特公昭６２−１７３５８号がある。
ソケットは一般的には、コンパクト蛍光灯の着脱が容易な回転式の構造が多用されている。
【０００３】
【発明が解決しようとする課題】
ところで上記した従来の構造の照明器具によると、ソケットへのコンパクト蛍光灯の着脱作業は容易であるが、コンパクト蛍光灯は自重により、使用と共に傾斜し、配光が変化する欠点がある。
また振動のある屋内外で照明器具を使用すると、ソケットからコンパクト蛍光灯が脱落しやすい危険がある。ソケットにコンパクト蛍光灯が確実にねじ込まれていると、ロックされるのでコンパクト蛍光灯が脱落することはないが、ねじ込みが確実でない状態ではコンパクト蛍光灯が脱落することがある。
【０００４】
本発明は上記の点に鑑み発明したものであって、比較的簡単な構造で、ソケットにコンパクト蛍光灯を容易に着脱することができ、さらにコンパクト蛍光灯がソケットに確実に支持され、配光が変化することがない照明器具を提供することを目的とする。
【０００５】
【課題を解決するための手段】
本発明は上記した課題を解決するために次の構成とする。請求項１に記載の発明は、照明器具本体の内部に、ソケット支持台を配置し、同ソケット支持台に、ソケットを固定し、また同ソケットに、正多角形の光源ケースを有する光源を装着して構成してある。
また光源はソケットに装着した状態で、光源ケースの頂部がソケット支持台に当接し、さらに光源ケースは、弾性を有する支持体でソケット支持台に支持されるように構成してある。
【０００６】
請求項２に記載の発明は、請求項１に記載の照明器具における光源ケースは正四角形、正六角形、正八角形のいずれかで構成してある。
【０００７】
請求項３に記載の発明は、請求項１及び請求項２に記載の照明器具における弾性を有する支持体は、光源を支持した状態で、光源ケースの多角面の最大個数より、少ない面で接触するように構成され、接触しない面は弾性変形するように構成してある。
【０００８】
上記した請求項１乃至請求項３に記載の照明器具によると、ソケットにコンパクト蛍光灯が確実に支持され、配光が変化することがなく、またソケットにコンパクト蛍光灯を容易に着脱することができる。
【０００９】
【発明の実施の形態】
以下本発明を図１乃至図７について説明する。図１において、１は照明器具本体、２は照明器具本体１の下半部の透光面に開閉自在に設けてなる透光性のグローブである。３は照明器具本体１の内部の一端に配置してなるソケット支持台であって、板状に形成してある。また同ソケット支持台３は、図２と図４に示すように、一端に掛止空孔４を有し、他端に折曲片５を有して構成してある。
６はソケット支持台３に固定してなるソケットであって、ソケット本体の内部に、受金を設け、コンパクト蛍光灯を装着支持する。
【００１０】
１０はソケット６に装着してなる光源であって、コンパクト蛍光灯を用いて構成してある。同コンパクト蛍光灯は一端に正多角形の光源ケース１１を有して構成してある。図６に示す光源ケース１１は正四角形に構成してある。図２乃至図５に示す光源ケース１１は正六角形に構成してある。図７に示す光源ケース１１は正八角形に構成してある。
【００１１】
２０は弾性を有する支持体であって、光源を支持した状態で、光源ケースの多角面の最大個数より、少ない面で接触するように構成してある。接触しない面は弾性変形し、支持体をソケット支持台から取り外し、光源をソケットから取り外すことができる。
例えば光源ケース１１が正六角形の場合の光源ケースを図３と図５について説明する。図３と図５に示すように、支持体２０は一端に鉤状掛合部２１を有し他端に掛合折曲片２２を有して構成してある。また支持体２０は、光源ケース１１の三面２３、２４、２５で接触し、他の面２６では接触しないように構成してある。接触しない面２６では、外力を加えることにより弾性変形し、支持体をソケット支持台から取り外し、光源をソケットから取外すことができる。また図３は光源をソケットに装着した状態を示し、光源ケース１１の一箇所の頂部がソケット支持台の面上に当接している。
【００１２】
次に上記した照明器具におけるソケットへの光源の着脱について説明する。
［光源を装着する作業］
▲１▼ソケット支持台３に掛合した支持体２０の一端を開いて、ソケット６に光源１０を装着する。
▲２▼光源１０をソケット６に装着した状態で、支持体２０の掛合折曲片２２を、ソケット支持台３の折曲片５に掛合して、光源の装着作業を終了する。
［光源を取外す作業］
▲１▼支持体２０の上端の掛合折曲片２２を、図３の上方に引っ張ると、支持体２０の光源ケース１２に接触しない面で弾性変形を起こし、支持体２０の掛合折曲片２２はソケット支持台３から外れる。
▲２▼支持体２０の上端が、ソケット支持台３から外れた状態で、光源を取出し、新たなものと交換する。
【００１３】
【発明の効果】
上記した本発明によると、ソケットにコンパクト蛍光灯が確実に支持され、配光が変化することがなく、さらにソケットにコンパクト蛍光灯を容易に着脱することができる特別な効果がある。また万一、コンパクト蛍光灯がソケットにロックされるまで、差し込まれていない場合も、コンパクト蛍光灯がソケットから脱落する危険性はなくなる効果がある。
【図面の簡単な説明】
【図１】本発明に係る照明器具の側面図。
【図２】ソケットに光源を装着した状態を示す斜視図。
【図３】光源をソケットに装着した状態の断面図。
【図４】光源をソケットから取外す途中の状態を示す斜視図。
【図５】光源をソケットから取外す途中の状態を示す断面図。
【図６】光源ケースを正四角形に構成したときの断面図。
【図７】光源ケースを正八角形に構成したときの断面図。
【符号の説明】
１　照明器具本体
２　グローブ
３　ソケット支持台
４　掛止空孔
５　折曲片
６　ソケット
１０　光源
１１　光源ケース
２０　支持体
２１　鉤状掛合部
【図１】
2004139765.tif 000003
【図２】
2004139765.tif 000004
【図３】
2004139765.tif 000005
【図４】
2004139765.tif 000006
【図５】
2004139765.tif 000007
【図６】
2004139765.tif 000008
【図７】
2004139765.tif 000009